(57)【要約】      （修正有）【課題】外部電源による電力の供給が不安定になっても、コンピュータ装置の正常な動作を維持させ、データの損失を防止する。【解決手段】マザーボード１２０は、外部電源としてのパワーサプライ１１０により提供される直流電力ＰＤＣを受信する。無停電電源装置１２１は、直流電力ＰＤＣを検出し、コンピュータ情報装置１３０に提供する出力電圧ＶＯＵＴ１を生成する。無停電電源装置１２１は、検出した直流電力ＰＤＣが安定している場合には、該直流電力ＰＤＣを利用して出力電圧ＶＯＵＴ１を生成し、その一方で、検出した直流電力ＰＤＣが安定していない場合には、該直流電力ＰＤＣとは別に提供される電池電力ＰＢＡＴＴを利用して出力電圧ＶＯＵＴ１を生成する。その上で、生成した出力電圧ＶＯＵＴ１をコンピュータ情報装置１３０に提供する。【選択図】図１
2016177793.tif 000002
【特許請求の範囲】
【請求項１】
バックアップ電源を有するマザーボードであって、
外部電源（１１０）により提供される直流電力（ＰＤＣ）を受信する第１の電源接続ユニット（２１０、３１１）と、
該第１の電源接続ユニット（２１０、３１１）が受信した直流電力（ＰＤＣ）を検出し、少なくとも1つのコンピュータ情報装置（１３０）に提供する出力電圧（ＶＯＵＴ１、ＶＯＵＴ２）を生成する無停電電源装置（１２１、２００、３１０）と、を有し、
該無停電電源装置（１２１、２００、３１０）は、検出した直流電力（ＰＤＣ）が安定している場合には、該直流電力（ＰＤＣ）を利用して出力電圧（ＶＯＵＴ１、ＶＯＵＴ２）を生成し、検出した直流電力（ＰＤＣ）が安定していない場合には、該直流電力（ＰＤＣ）とは別に提供される電池電力（ＰＢＡＴＴ）を利用して出力電圧（ＶＯＵＴ１、ＶＯＵＴ２）を生成し、前記コンピュータ情報装置（１３０）に提供するように構成したことを特徴とするマザーボード（１２０、３００）。
【請求項２】
前記無停電電源装置（１２１、２００、３１０）は、
前記第１の電源接続ユニット（２１０、３１１）が受信した直流電力（ＰＤＣ）を検出して、検出結果（ＳＤＥＴ）を生成する検出ユニット（２２０、３１２）と、
前記検出ユニット（２２０、３１２）が生成した検出結果（ＳＤＥＴ）に基づいて、制御信号（ＳＣ１、ＳＣ２）を生成する制御ユニット（２３０、３１３）と、
前記制御ユニット（２３０、３１３）が生成した制御信号（ＳＣ１）に従って、前記出力電圧（ＶＯＵＴ１、ＶＯＵＴ２）を生成する切り換えユニット（２４０、３１４）と、を有し、
前記制御ユニット（２３０、３１３）は、前記直流電力（ＰＤＣ）が安定していると判断される範囲内にあるとき、前記切り換えユニット（２４０、３１４）に対し、前記直流電力（ＰＤＣ）を利用して出力電圧（ＶＯＵＴ１、ＶＯＵＴ２）を生成し、前記直流電力（ＰＤＣ）が安定していると判断される範囲内にないとき、前記切り換えユニット（２４０、３１４）に対し、前記直流電力（ＰＤＣ）とは別に提供される電池電力（ＰＢＡＴＴ）を利用して出力電圧（ＶＯＵＴ１、ＶＯＵＴ２）を生成するように制御することを特徴とする請求項１に記載のマザーボード。
【請求項３】
更に、前記コンピュータ情報装置（１３０）に結合される第２の電源接続ユニット（２６０、３１６）を有し、
該第２の電源接続ユニット（２６０、３１６）は、生成された出力電圧（ＶＯＵＴ１、ＶＯＵＴ２）を前記コンピュータ情報装置（１３０）に提供することを特徴とする請求項１または２に記載のマザーボード。
【請求項４】
前記コンピュータ情報装置（１３０）は、ハードディスクドライブ、光学ディスク、および、ビデオグラフィックスアレイカードを有することを特徴とする請求項１〜３のいずれかに記載のマザーボード。
【請求項５】
更に、前記電池電力（ＰＢＡＴＴ）を提供する電池（２５２、３２２）と、
、充電ユニット（２５１、３２１）と、を有し、
該充電ユニット（２５１、３２１）は、前記制御ユニット（２３０、３１３）が生成した制御信号（ＳＣ２）にしたがって、前記電池（２５２、３２２）を充電するかどうかを決定し、前記直流電力（ＰＤＣ）が安定していると判断される範囲内にあるとき、前記直流電力（ＰＤＣ）にしたがって、前記電池（２５２、３２２）を充電し、前記直流電力（ＰＤＣ）が安定していると判断される範囲内にないとき、前記電池（２５２、３２２）の充電を停止することを特徴とする請求項２〜４のいずれかに記載のマザーボード。
【請求項６】
前記制御ユニット（２３０、３１３）は、前記第１の電源接続ユニット（２１０、３１３）に結合され、該第１の電源接続ユニット（２１０、３１３）からの直流電力（ＰＤＣ）を直接、受信すると共に、受信した前記直流電力（ＰＤＣ）を前記切り換えユニット（２４０、３１４）に提供することを特徴とする請求項５に記載のマザーボード。
【請求項７】
更に、前記電池電力（ＰＢＡＴＴ）を提供するバックアップ電源ユニット（３２０）と、
該バックアップ電源ユニット（３２０）に結合される第３の電源接続ユニット（３１５）と、を有し、
前記制御ユニット（３１３）は、前記直流電力（ＰＤＣ）が安定していると判断される範囲内にあるとき、前記第３の電源接続ユニット（３１５）に対し、前記直流電力（ＰＤＣ）を前記バックアップ電源ユニット（３２０）に提供し、前記直流電力（ＰＤＣ）が安定していると判断される範囲内にないとき、前記第３の電源接続ユニット（３１５）に対し、前記電池電力（ＰＢＡＴＴ）を前記切り換えユニット（３１４）に提供するように制御することを特徴とする請求項６に記載のマザーボード。
【請求項８】
前記バックアップ電源ユニット（３２０）は、
前記電池電力（ＰＢＡＴＴ）を提供する電池（３２２）、および、
前記直流電力（ＰＤＣ）にしたがって前記電池（３２２）を充電する充電ユニット（３２１）、を有することを特徴とする請求項７に記載のマザーボード。
【請求項９】
前記第３の電源接続ユニット（３１５）は、ＰＣＩコネクタ、または、ＰＣＩＥコネクタを有することを特徴とする請求項７に記載のマザーボード。
【請求項１０】
前記第１の電源接続ユニット（２１０、３１３）は、受信した前記直流電力（ＰＤＣ）を前記切り換えユニット（２４０、３１４）に直接、提供することを特徴とする請求項２〜９のいずれかに記載のマザーボード。
【請求項１１】
直流電力（ＰＤＣ）を提供する外部電源（１１０）と、
該外部電源（１１０）から提供される直流電力（ＰＤＣ）を受信して出力電圧（ＶＯＵＴ１、ＶＯＵＴ２）を提供するマザーボード（１２０、３００）と、
該マザーボード（１２０、３００）から提供される出力電圧（ＶＯＵＴ１）を受信して作動する、少なくとも１つのコンピュータ情報装置（１３０）と、を有する操作システム（１００）であって、
前記マザーボード（１２０、３００）は、
前記外部電源（１１０）により提供される直流電力（ＰＤＣ）を受信する第１の電源接続ユニット（２１０、３１１）と、
該第１の電源接続ユニット（２１０、３１１）が受信した直流電力（ＰＤＣ）を検出し、前記コンピュータ情報装置（１３０）に提供する出力電圧（ＶＯＵＴ１、ＶＯＵＴ２）を生成する無停電電源装置（１２１、２００、３１０）と、を有し、
該無停電電源装置（１２１、２００、３１０）は、検出した直流電力（ＰＤＣ）が安定している場合には、該直流電力（ＰＤＣ）を利用して出力電圧（ＶＯＵＴ１、ＶＯＵＴ２）を生成し、検出した直流電力（ＰＤＣ）が安定していない場合には、該直流電力（ＰＤＣ）とは別に提供される電池電力（ＰＢＡＴＴ）を利用して出力電圧（ＶＯＵＴ１、ＶＯＵＴ２）を生成し、前記コンピュータ情報装置（１３０）に提供するように構成したことを特徴とする操作システム（１００）。
【発明の詳細な説明】
【技術分野】
【０００１】
本発明は、バックアップ電源を有するマザーボード、及びそれを含む操作システムに関するものであって、特に、埋め込み式無停電電源装置を有するマザーボード（ＭＢ）、及びそれを含む操作システムに関するものである。
【背景技術】
【０００２】
科学技術の進歩に伴い、コンピュータ装置も普及している。一般に、コンピュータ装置は外部電源から電力が供給されることによって動作する。しかし、外部電源からの電力の供給が突然不安定になった場合、コンピュータ装置は、正常に動作しなくなり、装置内部に保存していたデータが損失する可能性がある。
【発明の概要】
【発明が解決しようとする課題】
【０００３】
そこで近年、外部電源による電力の供給が不安定になっても、コンピュータ装置の正常な動作を維持させ、データの損失を防止することが望まれている。
本発明は、上述の点に鑑みなされたものであって、外部電源による電力の供給が不安定になっても、コンピュータ装置の正常な動作を維持させ、データの損失を防止可能なマザーボード、及びこれを用いた操作システムを提供することを目的とする。
【課題を解決するための手段】
【０００４】
以下では、本発明の理解を容易にするために、本発明の実施形態を示す図面に対応する符号を付して説明するが、これに限定されるものではない。
本発明に係るマザーボード（１２０、３００）は、
外部電源（１１０）により提供される直流電力（ＰＤＣ）を受信する第１の電源接続ユニット（２１０、３１１）と、
該第１の電源接続ユニット（２１０、３１１）が受信した直流電力（ＰＤＣ）を検出し、少なくとも1つのコンピュータ情報装置（１３０）に提供する出力電圧（ＶＯＵＴ１、ＶＯＵＴ２）を生成する無停電電源装置（１２１、２００、３１０）と、を有し、
該無停電電源装置（１２１、２００、３１０）は、検出した直流電力（ＰＤＣ）が安定している場合には、該直流電力（ＰＤＣ）を利用して出力電圧（ＶＯＵＴ１、ＶＯＵＴ２）を生成し、検出した直流電力（ＰＤＣ）が安定していない場合には、該直流電力（ＰＤＣ）とは別に提供される電池電力（ＰＢＡＴＴ）を利用して出力電圧（ＶＯＵＴ１、ＶＯＵＴ２）を生成し、前記コンピュータ情報装置（１３０）に提供するように構成したことを特徴とする。
【０００５】
本発明に係る操作システム（１００）は、直流電力（ＰＤＣ）を提供する外部電源（１１０）と、該外部電源（１１０）から提供される直流電力（ＰＤＣ）を受信して出力電圧（ＶＯＵＴ１、ＶＯＵＴ２）を提供するマザーボードと、該マザーボードから提供される出力電圧（ＶＯＵＴ１）を受信して作動する、少なくとも１つのコンピュータ情報装置（１３０）とを有し、前記マザーボードを、上記本発明のマザーボード（１２０、３００）で構成したことを特徴とする。
【０００６】
本発明の本質及び範囲の理解を更に完全にするために、次の詳細な説明を添付の図面と併せて参考にすることができる。
【発明の効果】
【０００７】
本発明に係るマザーボードは、提供される直流電力の安定・不安定に応じて出力電圧の生成に利用する電力を選択可能な無停電電源装置、すなわち特定のバックアップ電源を有するため、外部電源から提供される直流電力が安定していない場合でも、安定した出力電圧がコンピュータ情報装置に提供され、該コンピュータ情報装置の正常な動作を維持することができる。その結果、データの損失が防止される。
本発明に係る操作システムは、特定のバックアップ電源を有する本発明のマザーボードを有するため、外部電源から提供される直流電力が安定していない場合でも、安定した出力電圧がコンピュータ情報装置に提供され、該コンピュータ情報装置の正常な動作を維持することができる。その結果、データの損失が防止される。
【図面の簡単な説明】
【０００８】
【図１】本発明の一例による操作システムを示すブロック図である。
【図２】本発明の一例による無停電電源装置を示すブロック図である。
【図３】本発明の一例によるマザーボードを示すブロック図である。
【発明を実施するための形態】
【０００９】
第１実施形態
図１は、本発明の一例による操作システムを示すブロック図である。図１に示されるように、本例の操作システム１００は、外部電源としてのパワーサプライ（ｐｏｗｅｒ  ｓｕｐｐｌｙ）１１０、マザーボード（ｍｏｔｈｅｒｂｏａｒｄ）１２０、および、コンピュータ情報装置１３０を有する。
パワーサプライ１１０は、直流電力ＰＤＣをマザーボード１２０に提供（供給）する。本発明では、パワーサプライ１１０の種類は限定されず、マザーボード１２０に直流電力を供給できる任意の設備は、パワーサプライ１１０に用いることができる。パワーサプライ１１０としては、例えば、交流形式のメインサプライを直流電力ＰＤＣに変換する交流／直流インバータ  （ＡＣ  ｔｏ  ＤＣ  ｉｎｖｅｒｔｅｒ）や、無停電電源装置（Ｕｎｉｎｔｅｒｒｕｐｔｉｂｌｅ  Ｐｏｗｅｒ  Ｓｕｐｐｌｙ；ＵＰＳ）などのような、直流／直流インバータ（ＤＣ  ｔｏ  ＤＣ  ｉｎｖｅｒｔｅｒ）、などが挙げられる。
【００１０】
マザーボード１２０は、パワーサプライ１１０から供給される直流電力ＰＤＣに従って、出力電圧ＶＯＵＴ１を生成する。本例のマザーボード１２０には、無停電電源装置１２１が内蔵されている。
無停電電源装置１２１は、パワーサプライ１１０から供給された直流電力ＰＤＣを検出すると共に、最終的に、出力電圧ＶＯＵＴ１と出力電圧ＶＯＵＴ２を生成する。本例の無停電電源装置１２１は、検出した直流電力ＰＤＣが安定している場合には、その直流電力ＰＤＣを利用して出力電圧ＶＯＵＴ１と出力電圧ＶＯＵＴ２を生成する。一方、検出した直流電力ＰＤＣが不安定な場合には、本例の無停電電源装置１２１は、検出した直流電力ＰＤＣを利用せず、別電源（図示省略）から提供される電池電力ＰＢＡＴＴを利用して出力電圧ＶＯＵＴ１と出力電圧ＶＯＵＴ２を生成する。電池電力ＰＢＡＴＴを提供するソース（別電源。後述のバックアップ電源ユニット２５０、３２０などに相当）は、マザーボード１２０中に設置されていてもよく、またマザーボード１２０外に設置することもできる。
【００１１】
本実施例において、出力電圧ＶＯＵＴ１は、マザーボード１２０外部の装置（たとえば、コンピュータ情報装置１３０）に提供される。出力電圧ＶＯＵＴ２は、マザーボード１２０内部の電子素子に提供される。一実施例において、マザーボード１２０は、更に、電源ユニット１２２を有していてもよい。電源ユニット１２２は、出力電圧ＶＯＵＴ２を変換すると共に、変換結果に基づいて、マザーボード１２０上に溶接された電子素子を駆動する。一具体例において、電源ユニット１２２は、直流コンバータ（ＤＣ  ｃｏｎｖｅｒｔｅｒ）で、出力電圧ＶＯＵＴ２の電圧レベルを調整することができる。他の具体例において、電源ユニット１２２は、無停電電源装置１２１中に整合されることもできる。その他の実施例において、マザーボード１２０は、更に、少なくとも、中央処理装置（ＣＰＵ）、および、メモリ（ｍｅｍｏｒｙ）を有することができる。この例において、中央処理装置、および、メモリは、出力電圧ＶＯＵＴ２に従って動作する。
【００１２】
コンピュータ情報装置１３０は、出力電圧ＶＯＵＴ１にしたがって動作する。本発明では、コンピュータ情報装置１３０の種類は限定されず、直流電力を別途に接続しなくてもよい任意の設備は、コンピュータ情報装置１３０に用いることができる。一実施例において、コンピュータ情報装置１３０は、少なくとも、ハードディスクドライブ（ＨＤＤ）、ソリッドステートディスク（ＳＳＤ）、光学ディスクドライブ（ＯＤＤ）、および、ビデオグラフィックスアレイカード（ＶＧＡ  Ｃａｒｄ）を有することができる。
【００１３】
第２実施形態
図１に示す無停電電源装置１２１として、例えば図２に示す無停電電源装置２００を用いてもよい。図２は、本発明の一例による無停電電源装置を示すブロック図である。
図２に示すように、本実施例の無停電電源装置２００は、第１の電源接続ユニット２１０、検出ユニット２２０、制御ユニット２３０、および、切り換えユニット２４０を有する。第１の電源接続ユニット２１０は、外部電源（たとえば、図１のパワーサプライ１１０）に結合されると共に、直流電力ＰＤＣを受信する。本実施例において、外部電源は、マザーボード外に設置される。一実施例において、外部電源により提供される直流電力ＰＤＣは、多くの電源成分、たとえば、１２Ｖ、５Ｖ、３．３Ｖを有することができる。
【００１４】
検出ユニット２２０は、第１の電源接続ユニット２１０で受信した直流電力ＰＤＣを検出して、検出結果ＳＤＥＴを生成する。一実施例において、検出結果ＳＤＥＴの電圧レベル、または、周波数と直流電力ＰＤＣの変動幅は関係する。たとえば、直流電力ＰＤＣが１２Ｖであると仮定すると、直流電力ＰＤＣが安定していると判断される範囲は、たとえば、１１．４Ｖ〜１２．６Ｖである。この例において、直流電力ＰＤＣの変動幅は、１２Ｖ（直流電力ＰＤＣ）の±５％である。よって、この例の場合、直流電力ＰＤＣが安定していると判断される範囲内（たとえば、１１．４Ｖ〜１２．６Ｖ）にあるとき、検出ユニット２２０は、第一周波数、または、第一電圧レベルを有する検出結果ＳＤＥＴを生成する。
【００１５】
しかし、直流電力ＰＤＣが不安定な時、直流電力ＰＤＣは安定していると判断される範囲内にないので、検出ユニット２２０は、第二周波数、または、第二電圧レベルを有する検出結果ＳＤＥＴを生成する。その他の実施例において、直流電力ＰＤＣが安定していると判断される範囲内であるとき、低レベルであるとの検出結果ＳＤＥＴを生成し、直流電力ＰＤＣが安定していると判断される範囲内にないとき、高レベルであるとの検出結果ＳＤＥＴを生成することもある。その他の実施例において、検出ユニット２２０は直流電力ＰＤＣに従って、対応する検出結果ＳＤＥＴを生成し、制御ユニット２３０は、検出結果ＳＤＥＴに基づいて、直流電力ＰＤＣが安定しているかどうか判断することもできる。この例において、検出ユニット２２０は判断功能がない。逆に、この例以外の場合、検出ユニット２２０は判断功能を持つものである。
【００１６】
本発明では、どのようにして、安定していると判断される範囲を定義するかを制限しない。一実施例において、安定していると判断される範囲は、マザーボードの設計者が予め設定したおいたものを、検出ユニット２２０や制御ユニット２３０中に保存することができる。他の具体例において、安定していると判断される範囲は使用者により設定することもできる。使用者は、ＢＩＯＳを利用して、自身で、安定していると判断される範囲を設定することができる。その他の実施例において、安定していると判断される範囲は、直流電力ＰＤＣの±７％から±１０％までの範囲としてもよい。いくつかの実施例において、直流電力ＰＤＣが複数の電圧成分、たとえば、１２Ｖ、５Ｖ、３．３Ｖを有している場合、すべての電圧成分が対応する、安定していると判断される範囲内にあるとき、その直流電力ＰＤＣは、安定していると判断される範囲内にある、とすることもできる。
【００１７】
本例の制御ユニット２３０は、検出結果ＳＤＥＴにしたがって、制御信号ＳＣ１と制御信号ＳＣ２を生成し、切り換えユニット２４０と、後述の充電ユニット２５１を制御する。一実施例において、直流電力ＰＤＣが安定していると判断される範囲内にあるとき、制御ユニット２３０は、制御信号ＳＣ１を利用して、切り換えユニット２４０が、直流電力ＰＤＣを出力電圧ＶＯＵＴ１とＶＯＵＴ２として提供するように制御する。直流電力ＰＤＣが安定していると判断される範囲内にないとき、制御ユニット２３０は、制御信号ＳＣ１を利用して、切り換えユニット２４０が、電池電力ＰＢＡＴＴを出力電圧ＶＯＵＴ１とＶＯＵＴ２として提供するように制御する。また、制御ユニット２３０は、制御信号ＳＣ２を利用して、後述の充電ユニット２５１が、電池２５２を充電するように制御することもできる。
【００１８】
本発明では、直流電力ＰＤＣのソースを限定しない。一実施例において、切り換えユニット２４０は、直接、電源接続ユニット２１０に結合されて、直流電力ＰＤＣを受信することができる。他の具体例において、制御ユニット２３０は、直流電力ＰＤＣを切り換えユニット２４０に提供することができる。いくつかの実施例において、制御ユニット２３０は、直接、電源接続ユニット２１０からの直流電力ＰＤＣを受信するか、または、検出ユニット２２０により直流電力ＰＤＣを受信することができる。
【００１９】
このほか、本発明では、電池電力ＰＢＡＴＴのソースを限定しない。一実施例において、無停電電源装置２００は、さらに、バックアップ電源ユニット２５０を有する。すなわち本例の無停電電源装置２００には、バックアップ電源ユニット２５０が内蔵されていてもよい。本例のバックアップ電源ユニット２５０は、充電ユニット２５１、および、電池２５２を有する。充電ユニット２５１は、制御ユニット２３０からの制御信号ＳＣ２にしたがって、電池２５２を充電することができる。電池２５２は、電池電力ＰＢＡＴＴを切り換えユニット２４０に提供することができる。
【００２０】
本実施例において、外部電源（図１のパワーサプライ１１０など）から提供される直流電力ＰＤＣが安定しているとき、制御ユニット２３０は、制御信号ＳＣ２により、充電ユニット２５１をトリガーすることができる。このとき、充電ユニット２５１は、直流電力ＰＤＣにしたがって、電池２５２を充電する。直流電力ＰＤＣが不安定なとき、制御ユニット２３０は、制御信号ＳＣ２により、充電ユニット２５１のトリガーを停止することができる。このとき、充電ユニット２５１は、電池２５２への充電を停止することができる。一実施例において、充電ユニット２５１は、電源接続ユニット２１０に結合されて、直接、直流電力ＰＤＣを受信することができる。他の具体例において、直流電力ＰＤＣは、検出ユニット２２０、または、制御ユニット２３０により、充電ユニット２５１に提供されることができる。
【００２１】
その他の実施例において、制御ユニット２３０は、単一の制御信号（たとえば、ＳＣ１）だけを生成すると共に、その単一の制御信号を利用して、切り換えユニット２４０と充電ユニット２５１を制御することもできる。たとえば、直流電力ＰＤＣが安定していると判断される範囲内にあるとき、制御ユニット２３０は、制御信号ＳＣ１を利用して、充電ユニット２５１をトリガーし、電池２５２を充電すると共に、制御信号ＳＣ１により、切り換えユニット２４０を制御して、直流電力ＰＤＣを出力電圧ＶＯＵＴ１とすることができる。直流電力ＰＤＣが安定していると判断される範囲内にないとき、制御ユニット２３０は、制御信号ＳＣ１を利用して、充電ユニット２５１のトリガーを停止すると共に、制御信号ＳＣ１により、切り換えユニット２４０を制御して、電池電力ＰＢＡＴＴを出力電圧ＶＯＵＴ１とすることができる。
【００２２】
本実施例において、無停電電源装置２００は、更に、第２の電源接続ユニット２６０を有する。第２の電源接続ユニット２６０は、コンピュータ情報装置１３０に結合されている。一実施例において、第２の電源接続ユニット２６０は、直接、出力電圧ＶＯＵＴ１を外部の装置（たとえば、コンピュータ情報装置１３０）に提供することができる。別の実施例において、第２の電源接続ユニット２６０は、電圧変換モジュール（図示しない）を有して、出力電圧ＶＯＵＴ１の電圧レベルを変換すると共に、変換結果をコンピュータ情報装置１３０に提供することができる。
【００２３】
本実施例において、外部電源（図１のパワーサプライ１１０など）から提供される直流電力ＰＤＣが安定しているとき、無停電電源装置２００は、直流電力ＰＤＣを利用して、出力電圧ＶＯＵＴ１を外部の装置（たとえば、コンピュータ情報装置１３０）に提供することができる。直流電力ＰＤＣが不安定なとき、無停電電源装置２００は、電池電力ＰＢＡＴＴを利用して、出力電圧ＶＯＵＴ１を外部の装置（たとえば、コンピュータ情報装置１３０）に提供して、該装置の動作を維持させる。
【００２４】
一実施例において、直流電力ＰＤＣが不安定なとき、制御ユニット２３０は、制御命令を外部の装置（たとえば、コンピュータ情報装置１３０）に提供して、該装置の動作を終了させることもできる。その他の実施例において、制御ユニット２３０は、ネットワークにより、メッセージを使用者に発信することもできる。
【００２５】
第３実施形態
図１に示すマザーボード１２０として、例えば図３に示すマザーボード３００を用いてもよい。図３は、本発明の一例によるマザーボードを示すブロック図である。
図３に示すように、本実施例のマザーボード３００は、無停電電源装置３１０、および、バックアップ電源ユニット３２０を有する。無停電電源装置３１０とバックアップ電源ユニット３２０はどちらも、マザーボード３００中に設置される。
本例の無停電電源装置３１０は、３つの電源接続ユニット３１１，３１５，３１６、検出ユニット３１２、制御ユニット３１３、切り換えユニット３１４を有する。第１の電源接続ユニット３１１、第２の電源接続ユニット３１６、検出ユニット３１２、制御ユニット３１３及び切り換えユニット３１４の各特性は、それぞれ、図２に示す例の、第１の電源接続ユニット２１０、第２の電源接続ユニット２６０、検出ユニット２２０、制御ユニット２３０及び切り換えユニット２４０と同じなので、説明を省略する。
【００２６】
本実施例において、第３の電源接続ユニット３１５は、バックアップ電源ユニット３２０と接続される。直流電力ＰＤＣが安定していると判断される範囲内にあるとき、制御ユニット３１３は、制御信号ＳＣ２により、第３の電源接続ユニット３１５は、直流電力ＰＤＣをバックアップ電源ユニット３２０に提供することができる。バックアップ電源ユニット３２０の充電ユニット３２１は、直流電力ＰＤＣにしたがって、電池３２２を充電することができる。直流電力ＰＤＣが安定していると判断される範囲内にないとき、制御ユニット３１３は、制御信号ＳＣ２により、電源接続ユニット３１５は、電池３２２の電池電力ＰＢＡＴＴを切り換えユニット３１４に送信することができる。
【００２７】
本発明では、電源接続ユニット３１５の内部構造を限定しない。一実施例において、第３の電源接続ユニット３１５は、ＰＣＩコネクタ、または、ＰＣＩＥコネクタを有して、バックアップ電源ユニット３２０を接続される。よって、バックアップ電源ユニット３２０は、拡充方式で、マザーボード３００中に設置される。
【００２８】
本例では、無停電電源装置３１０により、外部電源（図１のパワーサプライ１１０など）により提供される直流電力ＰＤＣを検出して、外部コンピュータ情報装置の正常な動作を維持する。たとえば、直流電力ＰＤＣが安定しているとき、マザーボード３００は、直流電力ＰＤＣを利用して、外部の装置（たとえば、コンピュータ情報装置１３０）を駆動することができる。直流電力ＰＤＣが不安定なとき、マザーボード３００は、電池電力ＰＢＡＴＴによって、外部の装置（たとえば、コンピュータ情報装置１３０）を駆動させる。これにより、該装置の、供給される電力の不安定によるデータの損失を防止する。このほか、直流電力ＰＤＣが不安定なとき、マザーボード３００は、制御命令を外部の装置（たとえば、コンピュータ情報装置１３０）に提供して、該装置の動作を終了させることもできる。
【００２９】
別に定義する場合を除き、ここで用いられるすべての用語（技術と科学の語彙）は、当該技術を熟知する者なら誰でも理解できる。このほか、明確に表示されていない限り、語彙の一般の辞典における定義は、相関する技術分野の文章中の意義と一致すると解釈されるべきで、理想状態、または、あまりに形式ばった意義と解釈されるべきではない。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３１】
１００：操作システム、
１１０：パワーサプライ、
１２０、３００：マザーボード、
１２１、２００、３１０：無停電電源装置、
１２２：電源ユニット、
２１０、３１１：第１の電源接続ユニット、
２６０、３１６：第２の電源接続ユニット、
３１５：第３の電源接続ユニット、
２２０、３１２：検出ユニット、
２３０、３１３：制御ユニット、
２４０、３１４：切り換えユニット、
２５０、３２０：バックアップ電源ユニット、
２５１、３２１：充電ユニット、
２５２、３２２：電池、
ＰＤＣ：直流電力、
ＶＯＵＴ１、ＶＯＵＴ２：出力電圧、
ＰＢＡＴＴ：電池電力、
ＳＤＥＴ：検出結果、
ＳＣ１、ＳＣ２：制御信号。
【図１】
2016177793.tif 000003
【図２】
2016177793.tif 000004
【図３】
2016177793.tif 000005